(57)【特許請求の範囲】
【請求項１】
加熱手段（２０）によって加熱された高温湯を上部側に貯める蓄熱タンク（１０）と、
前記蓄熱タンク（１０）から流出される前記高温湯と給湯水とによって温調された浴水を貯める浴槽（３０）と、
前記浴槽（３０）内の前記浴水を外部に流出させ、再び浴槽（３０）内に流入させる浴槽循環路（３３）と、
前記蓄熱タンク（１０）の下部側に貯まる低温湯と前記浴槽循環路（３３）を循環する前記浴水との間で熱交換する熱回収用熱交換器（４０）と、
前記浴水を前記浴槽循環路（３３）に循環させ、前記低温湯を前記熱回収用熱交換器（４０）によって加熱して、前記浴水の熱を前記低温湯に回収する風呂熱回収運転を実行する制御手段（５０、５１）とを備える給湯装置において、
前記熱回収用熱交換器（４０）に流入する前記浴水の流入温度を検出する流入温度検出手段（３４）と、
前記熱回収用熱交換器（４０）から流出する前記浴水の流出温度を検出する流出温度検出手段（３５）とを設け、
前記制御手段（５０、５１）は、前記風呂熱回収運転を実行している時に、前記流入温度検出手段（３４）によって検出される前記浴水の流入温度と、前記流出温度検出手段（３５）によって検出される前記浴水の流出温度との差が、所定時間以上、所定値以下となった時に前記風呂熱回収運転の停止条件とし、前記風呂熱回収運転を停止させることを特徴とする給湯装置。
【請求項２】
加熱手段（２０）によって加熱された高温湯を上部側に貯める蓄熱タンク（１０）と、
前記蓄熱タンク（１０）から流出される前記高温湯と給湯水とによって温調された浴水を貯める浴槽（３０）と、
前記浴槽（３０）内の前記浴水を外部に流出させ、再び浴槽（３０）内に流入させる浴槽循環路（３３）と、
前記蓄熱タンク（１０）の下部側に貯まる低温湯と前記浴槽循環路（３３）を循環する前記浴水との間で熱交換する熱回収用熱交換器（４０）と、
前記浴水を前記浴槽循環路（３３）に循環させ、前記低温湯を前記熱回収用熱交換器（４０）によって加熱して、前記浴水の熱を前記低温湯に回収する風呂熱回収運転を実行する制御手段（５０、５１）とを備える給湯装置において、
前記熱回収用熱交換器（４０）に流入する前記浴水の流入温度を検出する流入温度検出手段（３４）と、
前記熱回収用熱交換器（４０）から流出する前記浴水の流出温度を検出する流出温度検出手段（３５）とを設け、
前記制御手段（５０、５１）は、前記風呂熱回収運転を実行している時に、前記流入温度検出手段（３４）によって検出される前記浴水の流入温度と、前記流出温度検出手段（３５）によって検出される前記浴水の流出温度との差の変化量が、所定時間以上、一定量以下を継続した時に前記風呂熱回収運転の停止条件とし、前記風呂熱回収運転を停止させることを特徴とする給湯装置。
【請求項３】
前記低温湯の温度を検出する低温湯温度検出手段（１０ｅ）と、
前記浴水の温度を検出する浴水温度検出手段（３４、３５）とを備え、
前記制御手段（５０、５１）は、前記低温湯温度検出手段（１０ｅ）によって検出される前記低温湯の温度が、前記浴水温度検出手段（３４、３５）によって検出される前記浴水の温度より低い時に、前記風呂熱回収運転を開始することを特徴とする請求項１または請求項２に記載の給湯装置。
【発明の詳細な説明】
【技術分野】
【０００１】
本発明は、加熱した湯を貯める蓄熱タンクを備え、自動で蓄熱タンクから浴槽への湯張り、湯張り状態保持、更には浴槽残湯による蓄熱タンクへの熱回収を可能とする給湯装置に関するものである。
【背景技術】
【０００２】
従来の給湯装置として、例えば特許文献１に示されるように、浴槽の残湯を利用して貯湯タンク下部の低温湯への熱回収を可能としたものが知られている。即ち、この給湯装置においては、貯湯タンク内の上部に電気ヒータ等の熱源を取付け、貯湯タンク下部から吸引した給湯水を貯湯タンク上部に注入し、熱源によって高温湯をタンク上側から下側に向けて生成するようにしている。
【０００３】
そして、浴槽の残湯の温度が、貯湯タンク下部の低温湯の温度より高い場合、あるいは低温湯の温度より所定温度以上高い場合に、残湯および低温湯を外部に配設した熱回収用熱交換器にそれぞれ送り、残湯と低温湯との間で熱交換するようにしている。また、残湯の温度が、低温湯の温度より低い場合、あるいは低温湯の温度より所定温度以上でない場合には、上記熱交換を停止するようにしている。
【０００４】
これにより、熱回収用熱交換器において、浴槽の残湯によって貯湯タンク下部の低温湯が加熱され、残湯の熱を貯湯タンクに効率よく回収できるとしている。
【特許文献１】特開２００３−２６９７９１号公報
【発明の開示】
【発明が解決しようとする課題】
【０００５】
しかしながら、上記引用文献１では、浴槽の残湯の温度と貯湯タンク下部の低温湯の温度とを用いて熱回収を行うようにしているので、以下のように、どの時点で熱回収を停止すべきかの判断が取りにくいという問題がある。
【０００６】
即ち、一般的には、図３に示すように、浴槽の残湯の温度とタンク下部の温とは、熱回収を行なう時のタンク内の温度分布により挙動が異なる。図３（ａ）に示すように、タンク内において低温湯が多い場合は、熱回収するタンク内の熱媒体の容量が大きくなるため、熱回収の時間は長くなり、更にタンク内の低温湯の温度上昇度合いも低くなる。
【０００７】
よって、この場合では、残湯と低温湯との温度差がなかなか縮まらずに、長時間の熱回収実施条件が成立してしまうことになるが、時間をかけて熱回収する割には得られる熱量が小さく、逆に残湯および低温湯を熱回収用熱交換器に圧送するための動力使用量が増大してしまう。
【０００８】
逆に、図３（ｂ）に示すように、タンク内において高温湯が多い場合は、熱回収するタンク内の熱媒体の容量が小さくなるため、熱回収の時間が短くなり、更にタンク内の低温湯の温度上昇度合いも高くなる。
【０００９】
よって、この場合では、残湯と低温湯との温度差がすぐに縮まり、短時間の熱回収実施条件が成立することになるが、所定値以上の温度差を持って熱回収の停止条件を持たせると、まだ実質的に熱回収可能であるにもかかわらず、その分を無駄にして熱回収を終了させてしまうことになる。
【００１０】
尚、タンク下部に流入される補充用の給水温度によっても上記現象が変化し、給水温度が高くなるほど、タンク内における高温湯が多く残るような現象に近いものとなる。
【００１１】
本発明の目的は、上記問題に鑑み、浴水からのより確実な熱回収を可能とする給湯装置を提供することにある。
【課題を解決するための手段】
【００１２】
本発明は上記目的を達成するために、以下の技術的手段を採用する。
【００１３】
請求項１に記載の発明では、加熱手段（２０）によって加熱された高温湯を上部側に貯める蓄熱タンク（１０）と、
蓄熱タンク（１０）から流出される高温湯と給湯水とによって温調された浴水を貯める浴槽（３０）と、
浴槽（３０）内の浴水を外部に流出させ、再び浴槽（３０）内に流入させる浴槽循環路（３３）と、
蓄熱タンク（１０）の下部側に貯まる低温湯と浴槽循環路（３３）を循環する浴水との間で熱交換する熱回収用熱交換器（４０）と、
浴水を浴槽循環路（３３）に循環させ、低温湯を熱回収用熱交換器（４０）によって加熱して、浴水の熱を低温湯に回収する風呂熱回収運転を実行する制御手段（５０、５１）とを備える給湯装置において、
熱回収用熱交換器（４０）に流入する浴水の流入温度を検出する流入温度検出手段（３４）と、
熱回収用熱交換器（４０）から流出する浴水の流出温度を検出する流出温度検出手段（３５）とを設け、
制御手段（５０、５１）は、風呂熱回収運転を実行している時に、流入温度検出手段（３４）によって検出される浴水の流入温度と、流出温度検出手段（３５）によって検出される浴水の流出温度との差が、所定時間以上、所定値以下となった時に風呂熱回収運転の停止条件とし、風呂熱回収運転を停止させることを特徴としている。
【００１４】
風呂熱回収運転に伴う蓄熱タンク（１０）内における低温湯の温度変化は、風呂熱回収運転を行う時の低温湯の量によって大きく変わるが、浴水の流入温度と流出温度との差は、低温湯の量に関らず同様の変化を示す。よって、この流入温度と流出温度との差に基づいて風呂熱回収運転の終了条件を決定し、その決定した条件で風呂熱回収運転を停止することで、過不足の無い確実な熱回収が可能となる。
【００１６】
そして、浴水の流入温度と、浴水の流出温度との差が、所定時間以上、所定値以下となった時に風呂熱回収運転の停止条件とするようにしているので、加熱側となる浴水からの熱回収が不能となる条件を確実に把握することができ、確実な熱回収を実行すると共に、適切な停止が可能となる。
【００１７】
請求項２に記載の発明では、請求項１に記載の発明に対して、制御手段（５０、５１）は、浴水の流入温度と浴水の流出温度との差の変化量が、所定時間以上、一定量以下を継続した時に停止条件とし、風呂熱回収運転を停止させることを特徴としている。
【００１８】
これにより、流入温度検出手段（３４）、および流出温度検出手段（３５）の検出精度バラツキの影響を排除した停止条件を決定することができ、更に確実な熱回収を実行すると共に、適切な停止が可能となる。
【００１９】
請求項３に記載の発明では、低温湯の温度を検出する低温湯温度検出手段（１０ｅ）と、
浴水の温度を検出する浴水温度検出手段（３４、３５）とを備え、
制御手段（５０、５１）は、低温湯温度検出手段（１０ｅ）によって検出される低温湯の温度が、浴水温度検出手段（３４、３５）によって検出される浴水の温度より低い時に、風呂熱回収運転を開始することを特徴としている。
【００２０】
仮に、浴水の流入温度と流出温度とを検出しようとすると、浴水を浴槽循環路（３３）に循環させてやる必要が生ずる。しかしながら、風呂熱回収運転実行の開始条件を決定する際に、検出すべき温度として低温湯の温度と浴水の温度とすることで、浴水の風呂循環路（３３）への循環を不要とすることができる。よって、蓄熱タンク（１０）と浴槽（３０）との間での熱ロスを発生させることなく、また、循環のための無駄なエネルギー消費を無くして、確実な熱回収の可能性を把握して、風呂熱回収運転を開始することができる。
【００２１】
尚、上記各手段に付した括弧内の符号は、後述する実施形態記載の具体的手段との対応関係を示す一例である。
【発明を実施するための最良の形態】
【００２２】
（第１実施形態）
以下、本発明を適用した第１実施形態おける給湯装置について図１、図２を用いて説明する。尚、図１はヒートポンプユニット２０を用いたヒートポンプ式給湯装置１００の全体構成を示す模式図、図２は経過時間に対する浴水の流入温度、浴水の流出温度、および蓄熱タンク下部の低温湯の温度の変化を示すグラフである。
【００２３】
本実施形態のヒートポンプ式給湯装置（以下、給湯装置）１００は、一般家庭用として使用されるものであり、ヒートポンプユニット２０によって生成される高温の湯を蓄熱タンク１０内に貯えると共に（沸き上げ運転）、貯えられた湯を給湯用の湯として、台所、洗面所、風呂等へ供給するようになっている（給湯運転、湯張り運転）。更に、本給湯装置１００は、上記給湯機能の他に、入浴後の浴水による蓄熱タンク１０内下部の低温湯への熱回収（風呂熱回収運転）を行う機能も有している。
【００２４】
図１に示すように、給湯装置１００は、蓄熱タンク１０、各種給湯用配管１３、１５、１６、ヒートポンプユニット２０、浴槽３０、熱回収用熱交換器４０、制御手段５０、５１、温度検出手段としての各サーミスタ１０ｅ、３４、３５等を備えている。
【００２５】
蓄熱タンク１０は、給湯用の湯を貯える容器であって、耐食性に優れた金属から成り（例えば、ステンレス製）、外周部に図示しない断熱材が配置されており、高温の湯を長時間に渡って保温することができるようになっている。
【００２６】
また、蓄熱タンク１０は縦長形状であり、その底面に導入口１０ａが設けられ、この導入口１０ａには蓄熱タンク１０内に給湯水（水道水）を供給する導入用流路としての導入管１１が接続されている。一方、蓄熱タンク１０の最上部には導出口１０ｂが設けられ、この導出口１０ｂには蓄熱タンク１０内に貯えられた高温の湯を導出するための給湯用流路としての高温取出し管１３が接続されている。
【００２７】
蓄熱タンク１０の下部には、蓄熱タンク１０内の最下部の給湯水を後述するヒートポンプユニット２０側に吐出するための吐出口１０ｃが設けられ、また、蓄熱タンク１０の上部には、ヒートポンプユニット２０側から吐出された湯が内部に流入するための吸入口１０ｄが設けられている。吐出口１０ｃと吸入口１０ｄとは循環回路２１で接続されているおり、この循環回路２１の一部はヒートポンプユニット２０内に配置されている。
【００２８】
蓄熱タンク１０の下側部には、低温湯（給湯水）の温度を検出するための低温湯温度検出手段としてのタンク下部サーミスタ１０ｅが設けられており、タンク下部サーミスタ１０ｅは検出した蓄熱タンク１０内の低温湯の温度信号を後述する制御装置５０に出力するようになっている。
【００２９】
ヒートポンプユニット２０は、蓄熱タンク１０下部側の低温湯を加熱して高温の湯とする加熱手段であり、冷媒として臨界温度の低い二酸化炭素（ＣＯ２）を使用するヒートポンプサイクルと、循環回路２１中に設置された給水ポンプ２２とを備えている。尚、超臨界ヒートポンプによれば、一般的なヒートポンプサイクルよりも高温（例えば、８５℃〜９０℃程度）の湯を蓄熱タンク１０内に貯えることができる。
【００３０】
ヒートポンプサイクルは、図示しない電動式の圧縮機、水冷媒熱交換器、電気式膨張弁、空気熱交換器、およびアキュムレータが順次冷媒配管によって接続されて構成されており、その作動は図示しないヒートポンプ用制御装置によって制御されるようになっている。
【００３１】
水冷媒熱交換器は、冷媒が流通する冷媒通路と、給湯水が流通する水通路とを備えており、圧縮機の吐出口より吐出されて冷媒通路を流通する高温高圧の冷媒によって、水通路を流通する給湯水を加熱して湯の沸き上げを行うようになっている。
【００３２】
給水ポンプ２２は、循環回路２１の吐出口１０ｃとヒートポンプユニット２０（水側熱交換器）との間に配設されている。給水ポンプ２２は、内蔵される図示しない電動モータによって回転駆動されて、高温湯の沸き上げ運転時に、低温湯を吐出口１０ｃから吐出させて、水側熱交換器内で加熱された湯を蓄熱タンク１０の吸入口１０ｄに還流させるように作動する。この給水ポンプ２２は、水側熱交換器の出口側水温が、種々の運転条件下において決定される所定の目標沸き上げ温度となるように、図示しないヒートポンプ用制御装置によって回転数が制御される。
【００３３】
導入管１１には、導入口１０ａの手前部から分岐する給水管１２が設けられており（図１中では、分岐状態は省略して図示）、給水管１２の下流端は、後述する混合弁１４に繋がれている。尚、導入管１１には、導入される給湯水（水道水）の水圧が所定圧となるように調節すると共に、断水等における湯の逆流を防止する減圧逆止弁（図示せず）が設けられている。
【００３４】
高温取出し管１３と給水管１２との下流側合流部位に、混合弁１４が設けられている。この混合弁１４は、温度調節弁であって、高温側、低温側それぞれの開口面積比（弁開度）を調節して、高温取出し管１３から取出した高温の湯と、給水管１２から供給される給湯水との混合比を調節することで、混合弁１４よりも下流側に接続された給湯用配管１５、および風呂用配管１６に流通させる湯の温度をユーザが設定する設定温度に調節する。混合弁１４の弁開度は、後述する制御装置５０によって制御されるようになっている。
【００３５】
給湯用配管１５は、下流端の端末としての給湯水栓（カラン、シャワー等）へ設定温度に温度調節された湯を導く配管である。また、風呂用配管１６は、後述する浴槽循環路３３に接続されて、浴槽３０内に湯張り、差し湯、たし湯等を行う時に、設定温度に温度調節された湯（以下、浴水）を導く配管である。図示はしないが浴槽３０の浴水が給湯用配管１５に逆流しないようなシスターンや湯張り、差し湯、たし湯を行なう際の電磁弁はこの風呂用配管１６内に設けられている。
【００３６】
浴槽３０の側壁には、吐出口３１および吸入口３２（いわゆるアダプタ）が設けられている。そして、浴槽３０には、吐出口３１から浴槽３０内の浴水を一旦外部に流出させて、再び吸入口３２から浴槽３０内に流入させる浴槽循環路３３が設けられている。そして、浴槽循環路３３の途中部位が、後述する熱回収用熱交換器４０に接続されている。
【００３７】
浴槽循環路３３の吐出口３１と熱回収用熱交換器４０との間には、風呂用ポンプ３６が設けられている。風呂ポンプ３６は、浴槽３０内の浴水を熱回収用熱交換器４０側に圧送して、再び浴槽３０に戻すように循環させる電動ポンプであり、後述する制御装置５０によってその作動が制御されるようになっている。
【００３８】
浴槽循環路３３の風呂ポンプ３６（吐出口３１）と熱回収用熱交換器４０との間には、流入用温度検出手段としての風呂用サーミスタ３４が設けられている。風呂用サーミスタ３４は、浴槽循環路３３において浴槽３０から熱回収用熱交換器４０へ流入する浴水の流入温度を検出するサーミスタであり、検出した浴水温度信号を後述する制御装置５０に出力するようになっている。
【００３９】
また、浴槽循環路３３の熱回収用熱交換器４０と吸入口３２との間には、流出用温度検出手段としての風呂用サーミスタ３５が設けられている。風呂用サーミスタ３５は、浴槽循環路３３において熱回収用熱交換器４０から浴槽３０側へ流出する浴水の流出温度を検出するサーミスタであり、検出した浴水温度信号を後述する制御装置５０に出力するようになっている。
【００４０】
尚、風呂用サーミスタ３５は、後述する追い焚き熱交換器４１から流出する浴水の温度も検出するサーミスタとなっている。
【００４１】
熱回収用熱交換器４０は、入浴後の浴槽３０内の浴水の熱を蓄熱タンク１０内下部の低温湯に回収する、つまり、浴水によって低温湯を加熱する熱交換器であり、上述したように浴槽循環路３３に接続されて、蓄熱タンク１０内部の下部側に配設されている。
【００４２】
また、浴槽循環路３３には、風呂用サーミスタ３４の浴水流出側と、風呂用サーミスタ３５の浴水流入側とを接続し、熱回収用熱交換器４０をバイパスするバイパス通路３７ａが設けられており、風呂用サーミスタ３５の浴水流入側でバイパス通路３７ａから浴槽循環路３３に合流する合流点には、熱交切替バルブ３７が設けられている。そして、バイパス通路３７ａの途中部位は、蓄熱タンク１０内部の上部側に設けられた追い焚き熱交換器４１に接続されている。追い焚き熱交換器４１は、熱交切替バルブ３７の切替えおよび風呂ポンプ３６の作動によって浴槽循環路３３からバイパス通路３７ａを循環する浴水を、蓄熱タンク１０内の上部側の高温湯によって加熱することで追い焚きする熱交換器である。
【００４３】
また、浴槽循環路３３において、上記バイパス通路３７ａの風呂用サーミスタ３４、３５側には、熱回収用熱交換器４０および追い焚き熱交換器４１をバイパスするバイパス通路３８ａが設けられており、風呂用サーミスタ３４の浴水流出側で浴槽循環路３３からバイパス通路３８ａに分岐する分岐点には、保温三方弁３８が設けられている。そして、浴槽３０内の浴水の温度を検出する際には、風呂ポンプ３６によって循環される浴水が保温三方弁３８によってバイパス通路３８ａを流通して、熱回収用熱交換器４０および追い焚き熱交換器４１の影響を受けないようにショートカットするようになっている。
【００４４】
制御手段としての制御装置５０は、制御盤（リモコン）５１を備えている。制御装置５０は、マイクロコンピュータを主体として構成され、内蔵されたＲＯＭ（図示せず）には、予め設定された制御プログラムが設けられており、各サーミスタ１０ｅ、３４、３５からの温度信号、およびユーザが入力する操作盤５１からの操作信号等に基づいて、混合弁１４、風呂ポンプ３６、熱交切替バルブ３７、および保温三方弁３８を制御するように構成されている。
【００４５】
尚、操作盤５１には、操作スイッチとして、給湯設定温度スイッチ、湯張りスイッチ、湯張り設定温度スイッチ、追い焚きスイッチ、風呂保温時間設定スイッチ、および風呂熱回収スイッチ等が設けられている。また、操作盤５１は、浴室内や台所等の湯を使用する場所の近傍に設置され、操作盤５１以外は、蓄熱タンク１０に設置されている。
【００４６】
次に、上記構成による給湯装置１００の作動について説明する。
【００４７】
１．沸き上げ運転
制御装置５０は、図示しないヒートポンプ用制御装置に対して、深夜時間帯には安価な深夜電力を用いてヒートポンプユニット２０（ヒートポンプサイクルおよび給水ポンプ２２）の作動指示をし、蓄熱タンク１０内の下部側の給湯水を循環回路２１に循環させ、ヒートポンプユニット２０で加熱して、生成された高温の湯を吸入口１０ｄから蓄熱タンク１０の上部側に貯めていく。
【００４８】
２．給湯運転、湯張り運転
昼間の台所や洗面所での湯の使用時、また風呂への湯張り時には、制御装置５０は、ユーザによって操作盤５１の給湯設定温度スイッチおよび湯張り設定温度スイッチから入力設定される設定温度と一致するように、混合弁１４の弁開度を調節して、蓄熱タンク１０の導出口１０ｂから取出される高温の湯と給水管１２から供給される給湯水とを混合して温度調節した湯として供給する。
【００４９】
３．風呂自動運転
制御装置５０は、浴槽３０内の浴水の温度低下に対しては、湯張り運転後の風呂保温設定時間範囲（ユーザが設定する時間であり、例えば４時間）において、浴水の温度を設定温度に保持する風呂自動運転を実施する。即ち、制御装置５０は、保温三方弁３８を操作して、バイパス通路３８ａ側を開き、風呂ポンプ３６を作動させ、浴槽循環路３３からバイパス通路３８ａに浴水を循環させる。そして、風呂用サーミスタ３４、３５の少なくとも一方が検出する浴水の温度が設定温度より低い場合には、制御装置５０は、保温三方弁３８を操作して、浴槽循環路３３側を開き、また、熱交切替バルブ３７を操作して、バイパス通路３７ａ側を開き、風呂ポンプ３６を継続作動させて、追い焚き熱交換器４１によって浴水を加熱する。更に、風呂用サーミスタ３５が検出する浴水の温度が設定温度になると、制御装置５０は風呂ポンプ３６を停止させる。
【００５０】
４．風呂熱回収運転
制御装置５０は、ユーザによって操作盤５１の風呂熱回収スイッチから入力される入力信号に基づいて、ユーザが入浴した後には浴槽３０内の浴水を活用して蓄熱タンク１０の低温湯への熱回収を行う。
【００５１】
即ち、制御装置５０は、まず、風呂設定温度（本発明の浴水の温度に対応）と、タンク下部サーミスタ１０ｅから得られる蓄熱タンク１０下部側の低温湯の温度とを比較して、低温湯の温度が風呂設定温度よりも低い場合に、風呂熱回収運転を開始する。つまり、熱回収用熱交換器４０において浴水と低温湯との温度差による熱移動が可能であって、浴水による低温湯の加熱が可能であることを確認して風呂熱回収運転を開始する。制御装置５０は、この開始判断をもって、熱交切替バルブ３７および保温三方弁３８の両者を操作して、共に浴槽循環路３３側を開き、風呂ポンプ３６を作動させる。
【００５２】
風呂ポンプ３６の作動によって、浴槽３０内の浴水は浴槽循環路３３を吐出口３１→保温三方弁３８→熱回収熱交換器４０→熱交切替バルブ３７→吸入口３２の順に循環し、熱回収用熱交換器４０において、浴水の熱が低温湯に移動され、低温湯が加熱されていく。
【００５３】
この間、制御装置５０は、各風呂用サーミスタ３４、３５から得られる熱回収用熱交換器４０に対する浴水の流入温度および流出温度を監視する。
【００５４】
ここで、風呂熱回収運転時においては、浴水の流入温度および流出温度は、図２に示すように、熱回収用熱交換器４０によって浴水から低温湯への熱移動がなされることから、熱移動された分、流入温度よりも流出温度が低下して、両者の間に温度差ができる。更に、流入温度および流出温度は、時間経過と共に低温湯が加熱されて温度上昇していくにつれて低下していき、両者の温度差も小さくなっていく。そして両者の温度差がゼロとなって、低温湯の温度と等しくなると理論的には熱移動がなされない状態、つまり風呂熱回収運転ができない状態となる。
【００５５】
図２（ａ）は、風呂熱回収運転を実行する前段階での蓄熱タンク１０内の低温湯の量が多い場合、図２（ｂ）は、低温湯の量が少ない場合を示したものであるが、流入温度と流出温度との温度差は、風呂熱回収運転前段階での低温湯の量に関らず、時間経過と共に単純に小さくなって最終的にゼロになるという特性を有している。
【００５６】
よって、本願発明ではこの流入温度と流出温度との温度差に基づいて、風呂熱回収運転の停止条件を決定するようにしている。即ち、本実施形態では、制御装置５０は、監視している流入温度および流出温度から、両者の温度差が所定時間（例えば１分間）、所定値以下（例えば０．５℃以下）となった時に、風呂熱回収運転停止の条件として決定し、風呂熱回収運転を停止させる。つまり、風呂ポンプ３６の作動を停止させる。
【００５７】
以上のように、本実施形態では、風呂熱回収運転の実行にあたり、まず、タンク下部サーミスタ１０ｅによって得られる蓄熱タンク１０の低温湯の温度が、風呂設定温度よりも低い時に風呂熱回収運転を開始するようにしている。仮に、浴水の流入温度と流出温度とを用いるようにすると、風呂ポンプ３６を作動させて浴水を浴槽循環路３３に循環させてやる必要が生ずる。しかしながら、風呂熱回収運転実行の開始条件を決定する際に、上記のように検出すべき温度として低温湯の温度と浴槽の温度とすることで、浴水の風呂循環路３３への循環を不要とすることができる。よって、蓄熱タンク１０と浴槽３０との間での熱ロスを発生させることなく、また、循環のための無駄なエネルギー消費（風呂ポンプ３６の作動エネルギー消費）を無くして、確実な熱回収の可能性を把握して、風呂熱回収運転を開始することができる。
【００５８】
また、風呂熱回収運転の停止条件の決定にあたっては、浴水の流入温度と流出温度との差を用いるようにしているので、風呂熱回収運転前段階の蓄熱タンク１０内の低温湯の量の影響を受けずに、過不足の無い確実な熱回収が可能となる。
【００５９】
更に、具体的には両者の温度差が所定時間以上、所定値以下となった時を停止条件として決定するようにしているので、加熱側となる浴水からの熱回収が不能となる条件を確実に把握することができ、確実な熱回収を実行すると共に、適切な停止が可能となる。
【００６０】
（第２実施形態）
上記第１実施形態では、浴水の流入温度と流出温度との温度差が、所定時間以上、所定値以下となった場合に風呂熱回収運転の停止条件として決定するようにしたが、両者の温度差の変化量を基に停止条件を決定するようにしても良い。
【００６１】
即ち、両者の温度差の変化量が所定時間以上、一定量以下を継続した時に停止条件として決定して、風呂熱回収運転を停止させる。
【００６２】
これにより、各風呂用サーミスタ３４、３５の検出精度バラツキの影響を排除した停止条件を決定することができ、更に確実な熱回収を実行すると共に、適切な停止が可能となる。
【００６３】
（その他の実施形態）
上記第１、第２実施形態では、風呂熱回収運転を開始する前段階での浴水の温度を風呂設定温度として把握したが、これに限らず、専用のサーミスタを例えば浴槽３０に設けるものとしても良い。
【００６４】
また、給湯水の加熱手段としてヒートポンプユニット２０を用いたものとして説明したが、これに限らず、電気式のヒータ等に置き換えたものとして良い。
【００６５】
また、熱回収用熱交換器４０および追い焚き熱交換器４１は、蓄熱タンク１０内に配設されるものとして説明したが、これに限らず、蓄熱タンク１０の外部に配設されるものとしても良い。
【図面の簡単な説明】
【００６６】
【図１】第１実施形態におけるヒートポンプ式給湯装置の概略構成を示す模式図である。
【図２】第１実施形態における経過時間に対する浴水の流入温度、浴水の流出温度、および蓄熱タンク下部の低温湯の温度の変化を示すグラフである。
【図３】従来技術における経過時間に対する浴槽の残湯温度、および蓄熱タンク下部の低温湯の温度の変化を示すグラフである。
【符号の説明】
【００６７】
１０  蓄熱タンク
２０  ヒートポンプユニット（加熱手段）
３０  浴槽
３３  浴槽循環路
３４  風呂用サーミスタ（流入温度検出手段、浴水温度検出手段）
３５  風呂用サーミスタ（流出温度検出手段、浴水温度検出手段）
４０  熱回収用熱交換器
５０  制御装置（制御手段）
５１  操作盤（制御手段）
１００  ヒートポンプ式給湯装置（給湯装置）
【図１】
0005115294.tif 000002
【図２】
0005115294.tif 000003
【図３】
0005115294.tif 000004